(57)【要約】【課題】表示装置の低ＥＭＩ化と例えば液晶表示装置を用いた製品に設けられているスイッチボタン等へ悪影響を与えるような光の漏れ防止とを同時に実現するとともに、表示装置の小型化および製造コストの低減を実現し、周囲温度が高温となる使用環境においても良好にＦＰＣを金属筐体に接地する。【解決手段】モールド筐体９に向かって突出するように裏側金属筐体１１に形成された凸部１１ａと、凸部１１ａと対向する位置にモールド筐体９に形成された凹部９ｂとを用いて、ＦＰＣ１０が凸部１１ａと接触して凹部９ｂ側に撓むよう、凸部１１ａと凹部９ｂとによりＦＰＣ１０を挟持する。上記構成によれば、裏側金属筐体１１に形成された凸部１１ａとＦＰＣ１０とを接触させようとする力が、ＦＰＣ１０内に生じることとなるので、ＦＰＣ１０を安定した状態で裏側金属筐体１１に接地することが可能となる。【選択図】  図１
2005055512.tif 000002
【特許請求の範囲】
【請求項１】
モールド筐体と金属筐体との間に保持されるとともに、表示パネルに信号を入力するフレキシブル配線基板を有する表示装置における、フレキシブル配線基板の金属筐体とのグランド接続構造であって、
上記金属筐体または上記モールド筐体の一方は、他方の筐体に向かって突出する凸部を備えており、
上記金属筐体または上記モールド筐体の他方は、上記凸部と対向する位置に形成される凹部を備えており、
上記フレキシブル配線基板は、上記凸部と接触して上記凹部側に撓むよう、上記凸部と上記凹部とにより挟持されていることを特徴とするグランド接続構造。
【請求項２】
上記凸部と上記フレキシブル配線基板との接触箇所は、上記凹部と上記フレキシブル配線基板との接触箇所よりも、上記金属筐体または上記モールド筐体のうち上記凹部が形成されている方の筐体側であることを特徴とする請求項１に記載のグランド接続構造。
【請求項３】
上記凹部の深さは、０．１０ｍｍ以上に設定されていることを特徴とする請求項１または２に記載のグランド接続構造。
【請求項４】
請求項１ないし３のいずれか１項に記載のグランド接続構造を備えていることを特徴とする表示装置。
【請求項５】
モールド筐体と金属筐体との間に保持されるとともに、表示パネルに信号を入力するフレキシブル配線基板を有する表示装置における、フレキシブル配線基板の金属筐体とのグランド接続方法であって、
上記金属筐体または上記モールド筐体の一方において他方の筐体に向かって突出するように形成された凸部と、上記金属筐体または上記モールド筐体の他方において上記凸部と対向する位置に形成される凹部とを用い、
上記フレキシブル配線基板を、上記凸部と接触させて上記凹部側に撓むよう、上記凸部と上記凹部とにより挟持することを特徴とするグランド接続方法。
【発明の詳細な説明】
【０００１】
【発明の属する技術分野】
本発明は表示装置、特に液晶表示装置に用いられるフレキシブル配線基板（ＦＰＣ：Ｆｌｅｘｉｂｌｅ  Ｐｒｉｎｔｅｄ  ｃｉｒｃｕｉｔ）のグランド接続構造に関するものである。
【０００２】
【従来の技術】
従来、液晶表示装置等の表示装置における表示パネルを駆動する回路を搭載した回路基板を接地するため、表示装置裏面の金属筐体に板バネ状の構造物を形成し、その板バネ部分に回路基板を接触させていた。
【０００３】
具体的には、図６（ａ）に示すように、液晶表示装置裏面に設けられた金属筐体の一部を同図中斜線部にて示すようにＵ字状に切欠く。そして、Ｕ字状に切り欠くことにより形成される舌片１００を、図６（ｂ）に示すように、液晶表示パネル１１０の駆動回路が実装されたＦＰＣ１２０側に折り曲げることにより板バネを形成し、ＦＰＣ１２０を舌片１００に接地させていた。
【０００４】
また、上述の接地方法とは別に、導電性片面テープをＦＰＣのグランドパターン部および金属筐体へ貼り付けることによって導通を取る方法もある。なお、グランドパターン部とは、ＦＰＣにおける接地すべき部位のことである。
【０００５】
また、ＦＰＣを接地する方法として、特許文献１は、ＦＰＣを筐体にビスを用いて取り付ける方法を開示している。
【０００６】
また、特許文献２は、モールド筐体または金属筐体に形成された凸形状部と、他方の筐体に形成された板バネ状の弾性押圧部とにより駆動回路基板を挟持することにより、駆動回路基板を金属筐体に接地する方法を開示している。
【０００７】
【特許文献１】
特開平８−２７１８６３号公報（１９９６年１０月１８日公開）
【０００８】
【特許文献２】
特開２００１−７５０７７号公報（２００１年３月２３日公開）
【０００９】
【発明が解決しようとする課題】
しかしながら、金属筐体に板バネを形成してＦＰＣを接地する構成では、図６（ａ）に示すように、金属筐体を切り欠いた部分に開口部１３０が形成されてしまう。そして、この開口部１３０からバックライト光源１４０の光が液晶表示装置外部へ漏れてしまい、例えば液晶表示装置を用いた製品に設けられているスイッチボタン等へ光が導光されてしまう悪影響を製品に及ぼすという問題があった。
【００１０】
また、液晶表示装置の低ＥＭＩ（Ｅｌｅｃｔｒｏ−Ｍａｇｎｅｔｉｃ  Ｉｎｔｅｒｆｅｒｅｎｃｅ）化のためにはＦＰＣ１２０をより多くの箇所において接地することが好ましい。しかしながらそのためには、金属筐体におけるより多くの箇所を切り欠いて上述の板バネを形成する必要があるので、必然的に金属筐体に設けられる開口部の面積が増えることになる。すなわち、不要輻射の増大を招くと共に液晶表示装置外部に漏れるバックライト光源１４０の光量がさらに多くなってしまうという問題がある。
【００１１】
また、導電性片面テープを用いてＦＰＣを接地する方法の場合、導電性片面テープの導電性接着剤自体に数オームの抵抗値を有しているので、ＦＰＣを確実に接地するために、導電性片面テープとＦＰＣとの接触面積を多くし接続抵抗を下げる必要がある。すなわち、ＦＰＣのグランドパターン部面積を多く取るとともに、導電性テープの面積も大きくする必要があるので、液晶表示装置が大型化するおそれがある。
【００１２】
また、導電性片面テープが経時的に劣化することによって金属筐体と該テープとの接続抵抗が増加することもある。さらに、車載環境のように周囲温度が高温となる使用環境では、該テープの密着度が低下し、抵抗値が増大する場合もある。また、部品点数が増えるとともに、テープの貼り付け作業が必要なため、製造コストが増大してしまう。
【００１３】
また、特許文献１に記載された方法では、ビスを締め付ける側のモールド筐体（プラスチックシャーシ）の厚みをある程度確保する必要があるので、表示装置の省レイアウト化および薄型化を実現することが困難である。さらに、ビスを用いるために部品点数が増えるとともに、製造工程においてビス締め作業が必要であるため、製造コストの低減を実現することが困難である。
【００１４】
また、特許文献２に記載された方法では、弾性押圧部により押圧されても撓まないような剛性が駆動回路基板に必要である。したがって、樹脂フィルム製のＦＰＣが駆動回路基板として用いられている場合には用いることができない方法である。
【００１５】
さらに、液晶表示装置を車載して使用するような環境の下（温度条件が８５℃を超えるような環境）では、液晶表示装置の周囲の温度が８５℃を超え、弾性押圧部が熱変形する場合がある。
【００１６】
ここで、特許文献２に記載された方法では、金属筐体あるいはモールド筐体の一部を切り起こして形成された板バネを弾性押圧部としている。したがって、このように弾性押圧部が熱変形すると、板バネ部分と筐体部分との接続部位における剛性が低下し、弾性押圧部が駆動回路基板を押圧する力が極端に低下する。このように押圧する力が低下することは、駆動回路基板と金属筐体との接続が安定しない原因となる。
【００１７】
また、モールド筐体に弾性押圧部を形成することにより該筐体に開口部が形成されるので、バックライト光源の光が液晶表示装置外部へ漏れてしまう。このような光漏れにより、例えば液晶表示装置を用いた製品に設けられているスイッチボタン等へ悪影響を与えるような光が入光されてしまうという問題がある。
【００１８】
本発明は、上記従来の問題点に鑑みなされたものであって、その目的は、表示装置の低ＥＭＩ化とスイッチボタン等へ悪影響を与えるような光の漏れ防止とを同時に実現するとともに、表示装置の小型化および製造コストの低減を実現し、周囲温度が高温となる使用環境においても良好にＦＰＣを金属筐体に接地し得るグランド接続構造、表示装置、およびグランド接続方法を提供することにある。
【００１９】
【課題を解決するための手段】
上記課題を解決するため、本発明のグランド接続構造は、モールド筐体と金属筐体との間に保持されるとともに、表示パネルに信号を入力するフレキシブル配線基板を有する表示装置における、フレキシブル配線基板の金属筐体とのグランド接続構造であって、上記金属筐体または上記モールド筐体の一方は、他方の筐体に向かって突出する凸部を備えており、上記金属筐体または上記モールド筐体の他方は、上記凸部と対向する位置に形成される凹部を備えており、上記フレキシブル配線基板は、上記凸部と接触して上記凹部側に撓むよう、上記凸部と上記凹部とにより挟持されていることを特徴としている。
【００２０】
また、上記課題を解決するため、本発明のグランド接続方法は、モールド筐体と金属筐体との間に保持されるとともに、表示パネルに信号を入力するフレキシブル配線基板を有する表示装置における、フレキシブル配線基板の金属筐体とのグランド接続方法であって、上記金属筐体または上記モールド筐体の一方において他方の筐体に向かって突出するように形成された凸部と、上記金属筐体または上記モールド筐体の他方において上記凸部と対向する位置に形成される凹部とを用い、上記フレキシブル配線基板を、上記凸部と接触させて上記凹部側に撓むよう、上記凸部と上記凹部とにより挟持することを特徴としている。
【００２１】
上記構成によれば、フレキシブル配線基板は、凸部と接触することにより凹部側に撓むよう、凸部と凹部とにより挟持されている。ここで、フレキシブル配線基板は可撓性を有する樹脂材料により形成されているので、フレキシブル配線基板内には凸部または凹部の方へ復元しようとする力が生じる。
【００２２】
すなわち、上記構成によれば、金属筐体に形成された凸部または凹部と、フレキシブル配線基板とを接触させようとする力が、フレキシブル配線基板内に生じることとなるので、フレキシブル配線基板を安定した状態で金属筐体に接地することが可能となる。
【００２３】
また、上記の凸部や凹部を形成することは、金属筐体あるいはモールド筐体に開口部を形成することなく実現可能である。したがって、表示装置の低ＥＭＩ化を実現するために、より多くの箇所においてフレキシブル配線基板を金属筐体に接地したとしても、それによって金属筐体に形成される開口部面積が増えることもない。したがって、表示装置の低ＥＭＩ化と、例えば液晶表示装置を用いた製品に設けられているスイッチボタン等へ悪影響を与えるような光の漏れ防止とを同時に実現できる。
【００２４】
さらに、上記構成によれば、従来のグランド接続構造で用いられていた導電性片面テープやビス等の追加部品を用いることなく、フレキシブル配線基板を金属筐体に接地することができる。したがって、これらの追加部品を表示装置に取り付ける作業を製造工程から省略することもできる。よって、表示装置の小型化および製造コストを低減できる。
【００２５】
また、車載環境下のように周囲温度が高温となる使用環境（以下、単に高温環境下という）において、上記構成における凸部または凹部が熱変形したとしても、凸部または凹部は金属筐体またはモールド筐体を切り欠くことなく形成可能であるので、これらの部位における剛性が極端に低下することはない。したがって、上述したフレキシブル配線基板内に生じる凸部または凹部の方へ復元しようとする力は、高温環境下においても低減しない。よって、高温環境下においてもフレキシブル配線基板を良好に金属筐体に接地することができる。
【００２６】
さらに、本発明のグランド接続構造は、上記凸部と上記フレキシブル配線基板との接触箇所が、上記凹部と上記フレキシブル配線基板との接触箇所よりも、上記金属筐体または上記モールド筐体のうち上記凹部が形成されている方の筐体側であることを特徴としている。
【００２７】
上記構成によれば、フレキシブル配線基板を凹部内に確実に撓ませることができる。よって、金属筐体に形成された凸部または凹部と、フレキシブル配線基板とを接触させようとする力を、フレキシブル配線基板内に確実に生じさせることができるので、フレキシブル配線基板をより安定した状態で金属筐体に接地することができる。
【００２８】
さらに、本発明のグランド接続構造は、上記凹部の深さが、０．１０ｍｍ以上に設定されていることを特徴としている。
【００２９】
すなわち、表示装置における各部材の寸法ばらつきの最大値を合計すると、０．１０ｍｍ程度となる可能性がある。このような寸法ばらつきがフレキシブル配線基板と金属筐体とを離間させる方向に発生すると、フレキシブル配線基板を金属筐体に十分に接地させることができない場合がある。
【００３０】
そこで、本発明では凹部の深さが０．１０ｍｍ以上に設定されている。上記構成によれば、上記寸法ばらつきの最大値よりも大きな量だけ、フレキシブル配線基板を凹部側に撓ませることが可能となる。したがって、フレキシブル配線基板をより安定した状態で金属筐体に接地することが可能となる。
【００３１】
また、上記課題を解決するため、本発明の表示装置は、上記いずれかの構成のグランド接続構造を備えていることを特徴としている。
【００３２】
上記構成の表示装置によれば、上記構成のいずれかのグランド接続構造を用いているので、表示装置の低ＥＭＩ化と、例えば液晶表示装置を用いた製品に設けられているスイッチボタン等へ悪影響を与えるような光の漏れ防止とを同時に実現するとともに、表示装置の小型化および製造コストの低減も実現することができる。また、高温環境下においても良好にフレキシブル配線基板を金属筐体に良好に接地させることができるので、高温環境における使用に適した表示装置を提供することができる。
【００３３】
【発明の実施の形態】
〔実施の形態１〕
本発明の一実施形態について、図１ないし図４を用いて説明する。
【００３４】
図２に示すように、本実施の形態の液晶表示装置（表示装置）１は、液晶表示パネル（表示パネル）２が表側金属筐体（金属筐体）３に搭載された構成となっている。さらに、液晶表示パネル２の背面においては、光学シート４がフレーム５に搭載されている。さらに光学シート４の背面側においては、導光体６ａおよび反射板６ｂが設けられている。これらの導光体６ａおよび反射板６ｂは、ランプケース７に収納されたバックライト光源８の光を液晶表示パネル２に導く役割を果たしている。
【００３５】
また、反射板６ｂおよびランプケース７は、モールド筐体９に搭載されている。さらに、モールド筐体９の背面には、液晶表示パネル２を駆動する駆動回路が実装されたＦＰＣ（フレキシブル配線基板）１０、および裏側金属筐体（金属筐体）１１が設けられている。
【００３６】
上記構成により、本実施の形態の液晶表示装置１は、バックライト光源８の光を用いて、液晶表示パネル２をＦＰＣ１０に実装された駆動回路により駆動し、画像表示を行う。特に、本実施の形態の特徴点は、図中の丸印で囲まれているＦＰＣ１０を裏側金属筐体１１に接地する構造にある。以下、この特徴点に関してより具体的に説明する。
【００３７】
図１に示すように、モールド筐体９には、裏側金属筐体１１の方へ向かって突出する２つの凸部９ａが形成されている。また、裏側金属筐体１１には、モールド筐体９の方へ向かって突出する三角錐状の凸部１１ａが形成されている。この凸部１１ａは、その頂点が２つの凸部９ａの間に形成される凹部９ｂ内に入り込むように形成されている。
【００３８】
上記構成により、ＦＰＣ１０は、凸部９ａにより裏側金属筐体１１側への力を付与される一方、凸部１１ａによりモールド筐体９側への力を付与されることによって、モールド筐体９と裏側金属筐体１１との間に挟持されている。さらに、凸部１１ａは、ＦＰＣ１０の絶縁フィルム１０ａで覆われていない部分と接触しており、これによりＦＰＣ１０は裏側金属筐体１１に接地されている。
【００３９】
特に、ＦＰＣ１０は、可撓性を有しているので、凸部１１ａによってモールド筐体９の凹部９ｂの中に沈み込むように挟持されている。すなわち、ＦＰＣ１０内には凸部１１ａの方へ復元しようとする力が生じるので、ＦＰＣ１０は裏側金属筐体１１に確実に接触している。
【００４０】
なお、モールド筐体９の凹部９ｂは、ＦＰＣ１０が裏側金属筐体１１の凸部１１ａに接触することによりその内部に沈み込むような形状とされていればよい。したがって、本実施の形態の液晶表示装置１は、図１に示したように、モールド筐体９に２つの凸部９ａを形成することにより凹部９ｂが形成される構成でなくてもよい。たとえば、図３に示すように、モールド筐体９の表面に直接凹部９ｂを形成してもよい。また、バックライト光源からの光漏れが問題とならない場合には、凹部を設けるかわりにモールド筐体に穴部を形成してもよい。
【００４１】
また、液晶表示装置１を構成する成型品の寸法は、成型時における周囲の温度変化や、成型機の射出圧力、金型温度、あるいは樹脂材料の特性といった種々の成型条件によりばらつきが生じる。また、金属部品の寸法も、プレス圧力や、部品形状、金属材料の特性等の製造条件によりばらつきが生じる。このように生じるばらつきが、裏側金属筐体１１の凸部１１ａとＦＰＣ１０とを離間させるような方向に発生すると、ＦＰＣ１０を裏側金属筐体１１に対して十分に接地させられなくなる場合があり好ましくない。
【００４２】
そこで、図１に示すように、ＦＰＣ１０における裏側金属筐体１１側の表面と、凸部１１ａの頂点との距離（図中参照符号Ｋで示す）は、液晶表示装置１における構成部品の寸法ばらつきの和よりも大きく設定することが好ましい。
【００４３】
具体的には、ＦＰＣ１０の凸部１１ａに対する接触状態に影響を与えるものとして、以下のように各構成部品の寸法ばらつきが発生する。
【００４４】
フレーム５（図２参照）の寸法ばらつき（ΔＴ１）：±０．０２ｍｍ程度
モールド筐体９の寸法ばらつき（ΔＴ２）：±０．０２ｍｍ程度
裏側金属筐体１１の寸法ばらつき（ΔＴ３）：±０．０３ｍｍ程度
表側金属筐体３（図２参照）の寸法ばらつき（ΔＴ４）：±０．０３ｍｍ程度
よって、ＦＰＣ１０の表面と凸部１１ａの頂点との距離（Ｋ）は、上記ΔＴ１〜ΔＴ４のそれぞれについての絶対値の総和（Ｚ）である０．１０ｍｍよりも大きく設定されることが好ましい。また、このようにＫ＞Ｚと設定するためには、図１中参照符号Ｖで示すモールド筐体９の凸部９ａの高さ、すなわち凹部９ｂの深さを、Ｖ≧Ｋとして設定する必要がある。
【００４５】
これにより、液晶表示装置１における構成部品の寸法のばらつきが最大値となった場合においても、ＦＰＣ１０を凸部１１ａに確実に接触させることができるので、ＦＰＣ１０を確実に接地することができる。
【００４６】
なお、上記記載においては、裏側金属筐体１１に凸部１１ａを形成する構成について説明したが、図４に示すように、裏側金属筐体１１を備えていない液晶表示装置も存在する。このような構成の液晶表示装置（表示装置）２０においては、表側金属筐体３に円錐状の凸部３ａを形成するとともに、この凸部３ａに対向するようにモールド筐体９に２つの凸部９ａを形成する。これら２つの凸部９ａにより形成される凹部９ｂの間にＦＰＣ１０が沈みこむように、凸部３ａおよび２つの凸部９ａによってＦＰＣ１０を挟持することにより、ＦＰＣ１０を表側金属筐体３に接地することが可能となる。
【００４７】
もちろん、図４に示したように表側金属筐体３にＦＰＣ１０を接地する構成においては、図１に示したような裏側金属筐体１１にＦＰＣ１０を接地する構成と同様、凹部９ｂの深さを寸法ばらつきの総和Ｚよりも大きな値に設定することが好ましい。これにより、液晶表示装置１における構成部品の寸法のばらつきが最大値となった場合においても、ＦＰＣ１０を凸部３ａに確実に接触させることができる。
【００４８】
このように、本実施の形態の液晶表示装置１は、モールド筐体９と裏側金属筐体１１との間に保持されるとともに、液晶表示パネル２に信号を入力するＦＰＣ１０を有するものである。さらに、液晶表示装置１においては、モールド筐体９に向かって突出するように裏側金属筐体１１に形成された凸部１１ａと、凸部１１ａと対向する位置にモールド筐体９に形成された凹部９ｂとを用いて、ＦＰＣ１０が凸部１１ａと接触して凹部９ｂ側に撓むよう、凸部１１ａと凹部９ｂとによりＦＰＣ１０を挟持するグランド接続構造が採用されている。
【００４９】
上記構成によれば、ＦＰＣ１０は、凸部１１ａと接触することにより凹部９ｂ側に撓むよう、凸部１１ａと凹部９ｂとにより挟持されているので、裏側金属筐体１１に形成された凸部１１ａとＦＰＣ１０とを接触させようとする力が、ＦＰＣ１０内に生じることとなる。したがって、ＦＰＣ１０を安定した状態で裏側金属筐体１１に接地することが可能となる。
【００５０】
また、凸部１１ａや凹部９ｂを形成することは、裏側金属筐体１１あるいはモールド筐体９に開口部を形成することなく実現可能である。したがって、液晶表示装置１の低ＥＭＩ化を実現するために、より多くの箇所においてＦＰＣ１０を裏側金属筐体１１に接地したとしても、それによって裏側金属筐体１１に形成される開口部面積が増えることもない。したがって、液晶表示装置１の低ＥＭＩ化と、バックライト光源８の光の漏れ防止とを同時に実現できる。
【００５１】
さらに、上記構成によれば、従来のグランド接続構造で用いられていた導電性片面テープやビス等の追加部品を用いることなく、ＦＰＣ１０を裏側金属筐体１１に接地することができる。したがって、これらの追加部品を液晶表示装置１に取り付ける作業を製造工程から省略することもできる。よって、液晶表示装置１の小型化および製造コストを低減できる。
【００５２】
また、高温環境下において、上記構成における凸部１１ａまたは凹部９ｂが熱変形したとしても、凸部１１ａまたは凹部９ｂは裏側金属筐体１１またはモールド筐体９を切り欠くことなく形成可能であるので、これらの部位における剛性が極端に低下することはない。したがって、上述したＦＰＣ１０内に生じる凸部１１ａの方へ復元しようとする力は、高温環境下においても低減しない。よって、高温環境下においてもＦＰＣ１０を良好に裏側金属筐体１１に接地することができる。
【００５３】
さらに、上記のグランド接続構造においては、凸部１１ａとＦＰＣ１０との接触箇所が、凹部９ｂとＦＰＣ１０との接触箇所よりも、モールド筐体９側であることが好ましい。
【００５４】
上記構成によれば、ＦＰＣ１０を凹部９ｂ内に確実に撓ませることができる。よって、裏側金属筐体１１に形成された凸部１１ａと、ＦＰＣ１０とを接触させようとする力を、ＦＰＣ１０内に確実に生じさせることができるので、ＦＰＣ１０をより安定した状態で裏側金属筐体１１に接地することができる。
【００５５】
さらに、上記のグランド接続構造は、凹部９ｂの深さが、０．１０ｍｍ以上に設定されていることが好ましい。
【００５６】
すなわち、液晶表示装置１における各部材の寸法ばらつきの最大値を合計すると、０．１０ｍｍ程度となる可能性がある。このような寸法ばらつきがＦＰＣ１０と裏側金属筐体１１とを離間させる方向に発生すると、ＦＰＣ１０を裏側金属筐体１１に十分に接地させることができない場合がある。
【００５７】
そこで、凹部９ｂの深さを０．１０ｍｍ以上に設定すれば、上記寸法ばらつきの最大値よりも大きな量だけ、ＦＰＣ１０を凹部９ｂ側に撓ませることが可能となる。したがって、ＦＰＣ１０をより安定した状態で裏側金属筐体１１に接地することが可能となる。
【００５８】
〔実施の形態２〕
次に、本発明の他の実施形態について、図５を用いて説明する。なお、説明の便宜上、実施の形態１と同一の構成および機能を有する部材については、実施の形態１と同一の参照番号を付すことにより、詳細な説明は省略する。
【００５９】
先ず、本実施の形態の液晶表示装置と、実施の形態１の液晶表示装置との構成上の相異点を簡略に説明する。実施の形態１に係る液晶表示装置１においては、図１または図３に示したように、モールド筐体９側に凹部９ｂを形成するとともに、裏側金属筐体１１側に凸部１１ａを形成する構成とされている。一方、本実施の形態の液晶表示装置では、モールド筐体９側に凸部を形成し、裏側金属筐体１１に凹部を形成する構成とする点において、実施の形態１の液晶表示装置と構成が異なる。
【００６０】
以下、上述の相異点を具体的に説明する。なお、以下では説明の便宜上、本発明の特徴点であるＦＰＣ１０を裏側金属筐体１１に接地するための構成のみについて説明するので、液晶表示装置の全体構成に関する部分の説明については実施の形態１を参照されたい。
【００６１】
図５に示すように、本実施の形態の液晶表示装置（表示装置）３０における裏側金属筐体１１には、モールド筐体９の方へ向かって突出する２つの凸部１１ｃが形成されている。また、モールド筐体９には、裏側金属筐体１１の方へ向かって突出する三角錐状の凸部９ｃが形成されている。この凸部９ｃは、その頂点が２つの凸部１１ｃの間に形成される凹部１１ｄ内に入り込むように形成されている。
【００６２】
上記構成により、ＦＰＣ１０は、凸部９ｃにより裏側金属筐体１１側への力を付与される一方、凸部１１ｃによりモールド筐体９側への力を付与されることによって、モールド筐体９と裏側金属筐体１１との間に挟持されている。さらに、凸部１１ｃは、ＦＰＣ１０の絶縁フィルム１０ａで覆われていない部分と接触しており、これによりＦＰＣ１０は裏側金属筐体１１に接地されている。
【００６３】
特に、ＦＰＣ１０は、可撓性を有しているので、凸部９ｃによって裏側金属筐体１１の凹部１１ｄの中に沈み込むように挟持されている。したがって、ＦＰＣ１０内には凹部１１ｄの方へ復元しようとする力が生じるので、ＦＰＣ１０は裏側金属筐体１１に確実に接触している。
【００６４】
このように、本実施の形態の液晶表示装置３０においては、裏側金属筐体１１に向かって突出するようにモールド筐体９に形成された凸部９ｃと、凸部９ｃと対向する位置に裏側金属筐体１１に形成された凹部１１ｄとを用いて、ＦＰＣ１０が凸部９ｃと接触して凹部１１ｄ側に撓むよう、凸部９ｃと凹部１１ｄとによりＦＰＣ１０を挟持するグランド接続構造が採用されている。
【００６５】
上記構成によれば、ＦＰＣ１０は、凸部９ｃと接触することにより凹部１１ｄ側に撓むよう、凸部９ｃと凹部１１ｄとにより挟持されているので、裏側金属筐体１１に形成された凹部１１ｄとＦＰＣ１０とを接触させようとする力が、ＦＰＣ１０内に生じることとなる。したがって、ＦＰＣ１０を安定した状態で裏側金属筐体１１に接地することが可能となる。
【００６６】
また、凸部９ｃや凹部１１ｄを形成することは、裏側金属筐体１１あるいはモールド筐体９に開口部を形成することなく実現可能である。したがって、液晶表示装置３０の低ＥＭＩ化を実現するために、より多くの箇所においてＦＰＣ１０を裏側金属筐体１１に接地したとしても、それによって裏側金属筐体１１に形成される開口部面積が増えることもない。したがって、液晶表示装置３０の低ＥＭＩ化と、バックライト光源８の光の漏れ防止とを同時に実現できる。
【００６７】
さらに、上記構成によれば、従来のグランド接続構造で用いられていた導電性片面テープやビス等の追加部品を用いることなく、ＦＰＣ１０を裏側金属筐体１１に接地することができる。したがって、これらの追加部品を液晶表示装置３０に取り付ける作業を製造工程から省略することもできる。よって、液晶表示装置１の小型化および製造コストを低減できる。
【００６８】
また、高温環境下において、上記構成における凹部１１ｄまたは凸部９ｃが熱変形したとしても、凹部１１ｄまたは凸部９ｃは裏側金属筐体１１またはモールド筐体９を切り欠くことなく形成可能であるので、これらの部位における剛性が極端に低下することはない。したがって、上述したＦＰＣ１０内に生じる凹部１１ｄの方へ復元しようとする力は、高温環境下においても低減しない。よって、高温環境下においてもＦＰＣ１０を良好に裏側金属筐体１１に接地することができる。
【００６９】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７０】
また、上述した各実施形態においては、本発明のグランド接続構造を、バックライト光源を有する液晶表示装置へ適用した場合の構成について説明したが、本発明の適用範囲は必ずしもこのような液晶表示装置に限定されるものではない。すなわち、本発明のグランド接続構造は、ＦＰＣを用いて画像表示用の信号入力を行うあらゆる表示装置に適用可能である。たとえば、ＣＲＴ（Ｃａｔｈｏｄｅ  Ｒａｙ  Ｔｕｂｅ）ディスプレイ、有機ＥＬ（ｅｌｅｃｔｒｏ  ｌｕｍｉｎｅｓｃｅｎｃｅ）ディスプレイ、プラズマディスプレイ等の表示装置であっても、ＦＰＣを用いて画像表示用の信号入力を行うものであれば、本発明のグランド接続構造を用いることにより、ＦＰＣを確実に接地することが可能となる。
【００７１】
なお、本発明のグランド接続構造は、少なくとも金属筐体と、モールド筐体と、これら両筐体に保持される表示パネル信号入力用ＦＰＣとを有する表示装置において、ＦＰＣがフィルム製樹脂材料であるために弾力性を有していることを利用して、金属筐体に形成された凸部形状とモールド筐体に形成された凹凸形状部とによりＦＰＣを挟持することにより、ＦＰＣを金属筐体に接地する構成であってもよい。さらに、上記構成において、モールド筐体に形成された凹凸形状部の位置が金属筐体凸部の位置と合致しないことが好ましい。
【００７２】
上記構成のグランド接続構造によっても、信号入力ＦＰＣを金属筐体に確実に接地でき、表示装置の低ＥＭＩ化が図れる。
【００７３】
【発明の効果】
以上のように、本発明のグランド接続構造は、金属筐体またはモールド筐体の一方が、他方の筐体に向かって突出する凸部を備えており、上記金属筐体または上記モールド筐体の他方が、上記凸部と対向する位置に形成される凹部を備えており、上記フレキシブル配線基板が、上記凸部と接触して上記凹部側に撓むよう、上記凸部と上記凹部とにより挟持されているものである。
【００７４】
また、本発明のグランド接続方法は、金属筐体またはモールド筐体の一方において他方の筐体に向かって突出するように形成された凸部と、上記金属筐体または上記モールド筐体の他方において上記凸部と対向する位置に形成される凹部とを用い、上記フレキシブル配線基板を、上記凸部と接触させて上記凹部側に撓むよう、上記凸部と上記凹部とにより挟持する方法である。
【００７５】
上記構成によれば、金属筐体に形成された凸部または凹部と、フレキシブル配線基板とを接触させようとする力が、フレキシブル配線基板内に生じることとなるので、フレキシブル配線基板を安定した状態で金属筐体に接地することが可能となるという効果を奏する。
【００７６】
また、上記の凸部や凹部を形成することは、金属筐体あるいはモールド筐体に開口部を形成することなく実現可能である。したがって、表示装置の低ＥＭＩ化を実現するために、より多くの箇所においてフレキシブル配線基板を金属筐体に接地したとしても、それによって金属筐体に形成される開口部面積が増えることもない。したがって、表示装置の低ＥＭＩ化と、例えば液晶表示装置を用いた製品に設けられているスイッチボタン等へ悪影響を与えるような光の漏れ防止とを同時に実現できるという効果を奏する。
【００７７】
さらに、上記構成によれば、従来のグランド接続構造で用いられていた導電性片面テープやビス等の追加部品を用いることなく、フレキシブル配線基板を金属筐体に接地することができる。したがって、これらの追加部品を表示装置に取り付ける作業を製造工程から省略することもできる。よって、表示装置の小型化および製造コストを低減できるという効果を奏する。
【００７８】
また、高温環境下において、上記構成における凸部または凹部が熱変形したとしても、凸部または凹部は金属筐体またはモールド筐体を切り欠くことなく形成可能であるので、上述したフレキシブル配線基板内に生じる凸部または凹部の方へ復元しようとする力は低減しない。よって、高温環境下においてもフレキシブル配線基板を良好に金属筐体に接地することができるという効果を奏する。
【００７９】
さらに、本発明のグランド接続構造は、上記凸部と上記フレキシブル配線基板との接触箇所が、上記凹部と上記フレキシブル配線基板との接触箇所よりも、上記金属筐体または上記モールド筐体のうち上記凹部が形成されている方の筐体側であるものである。
【００８０】
上記構成によれば、フレキシブル配線基板を凹部内に確実に撓ませることができる。よって、金属筐体に形成された凸部または凹部と、フレキシブル配線基板とを接触させようとする力を、フレキシブル配線基板内に確実に生じさせることができるので、フレキシブル配線基板をより安定した状態で金属筐体に接地することができるという効果を奏する。
【００８１】
さらに、本発明のグランド接続構造は、上記凹部の深さが、０．１０ｍｍ以上に設定されているものである。
【００８２】
すなわち、表示装置における各部材の寸法ばらつきの最大値を合計すると、０．１０ｍｍ程度となる可能性がある。このような寸法ばらつきがフレキシブル配線基板と金属筐体とを離間させる方向に発生すると、フレキシブル配線基板を金属筐体に十分に接地させることができない場合がある。
【００８３】
そこで、本発明では凹部の深さが０．１０ｍｍ以上に設定されている。上記構成によれば、上記寸法ばらつきの最大値よりも大きな量だけ、フレキシブル配線基板を凹部側に撓ませることが可能となる。したがって、フレキシブル配線基板をより安定した状態で金属筐体に接地することが可能となるという効果を奏する。
【００８４】
また、以上のように、本発明の表示装置は、上記いずれかの構成のグランド接続構造を備えているものである。
【００８５】
上記構成の表示装置によれば、上記構成のいずれかのグランド接続構造を用いているので、表示装置の低ＥＭＩ化と画像表示用の光の漏れ防止とを同時に実現するとともに、表示装置の小型化および製造コストの低減も実現することができるという効果を奏する。また、高温環境下においても良好にフレキシブル配線基板を金属筐体に良好に接地させることができるので、高温環境における使用に適した表示装置を提供することができるという効果を奏する。
【図面の簡単な説明】
【図１】本発明の表示装置の一実施形態に係るＦＰＣのグランド接続構造を詳細に示す断面図である。
【図２】図１のグランド接続構造を備える液晶表示装置の構成を示す断面図である。
【図３】図１のグランド接続構造においてモールド筐体に凹部のみを形成した場合の構成を示す断面図である。
【図４】本発明の表示装置の他の実施形態に係るＦＰＣのグランド接続構造を備える液晶表示装置の構成を示す断面図である。
【図５】本発明の表示装置の他の実施形態に係るＦＰＣのグランド接続構造を詳細に示す断面図である。
【図６】（ａ）は、従来のグランド接続構造を用いる液晶表示装置の金属筐体の平面図であり、（ｂ）は、従来のグランド接続構造の構成を示す断面図である。
【符号の説明】
１      液晶表示装置（表示装置）
２      液晶表示パネル（表示パネル）
３      表側金属筐体（金属筐体）
３ａ    凸部
９      モールド筐体
９ｂ    凹部
９ｃ    凸部
１０    ＦＰＣ（フレキシブル配線基板）
１１    裏側金属筐体（金属筐体）
１１ａ  凸部
１１ｄ  凹部
２０    液晶表示装置（表示装置）
３０    液晶表示装置（表示装置）
【図１】
2005055512.tif 000003
【図２】
2005055512.tif 000004
【図３】
2005055512.tif 000005
【図４】
2005055512.tif 000006
【図５】
2005055512.tif 000007
【図６】
2005055512.tif 000008